(57)【要約】【課題】利用者の利便性を配慮しつつ、セキュリティー対策を強化することができる。【解決手段】制御装置本体１は、乗場読取装置１２から、利用者のルームキー８に記憶されているキー情報を乗場操作盤１１の呼びボタン１１ａの操作前に受ける。その後、制御装置本体１は、予め設定されているルームキーの有効性情報とキー情報とを比較してキー情報の有効性を判断し、キー情報が有効であると判断した場合には、利用者の待つ階にかご３を移動させる登録を行う。【選択図】図１
2005170541.tif 000002
【特許請求の範囲】
【請求項１】
乗場に設置された乗場読取装置から、利用者のルームキーに記憶されているキー情報を乗場操作盤の呼びボタン操作前に受けたとき、予め設定されているルームキーの有効性についての情報とキー情報とを比較してキー情報の有効性を判断し、有効であると判断した場合には、上記利用者の待つ階にかごを移動させる登録を行う処理部
を備えていることを特徴とするエレベータ制御装置。
【請求項２】
上記処理部は、上記乗場操作盤の呼びボタン操作前に上記乗場読取装置から受けたキー情報が有効であると判断した場合、上記利用者が上記かごに乗った後に上記かごを移動させる階として、キー情報に含まれている行先階を登録する
ことを特徴とする請求項１記載のエレベータ制御装置。
【請求項３】
上記行先階は、ルームキーに示された客室階、および玄関階の少なくともいずれか一方であることを特徴とする請求項２記載のエレベータ制御装置。
【請求項４】
乗場に設置された乗場読取装置から、利用者のルームキーに記憶されているキー情報を乗場操作盤の呼びボタン操作後に受けたとき、予め設定されているルームキーの有効性についての情報とキー情報とを比較してキー情報の有効性を判断し、有効であると判断した場合には、上記利用者の待つ階にかごを移動させる登録を行う処理部
を備えていることを特徴とするエレベータ制御装置。
【請求項５】
上記処理部は、上記キー情報が有効であると判断した場合、上記かご内に設置されたかご操作盤の行先階ボタン操作により指定された行先階へ上記かごを移動させる登録を行う
ことを特徴とする請求項４記載のエレベータ制御装置。
【請求項６】
上記処理部は、上記かご内に設置されたかご内読取装置から、上記かご内に設置されたかご操作盤の行先階ボタン操作後にキー情報を受けたとき、キー情報の有効性を判断し、有効であると判断した場合には、上記行先階ボタン操作により指定された行先階へ上記かごを移動させる登録を行う
ことを特徴とする請求項４記載のエレベータ制御装置。
【発明の詳細な説明】
【技術分野】
【０００１】
本発明は、かごの昇降を制御するエレベータ制御装置に関する。
【背景技術】
【０００２】
従来の呼び登録装置においては、ホテルのルームキーに設けられている識別信号発信装置にから、そのルームキーに固有の識別信号がかご内のアンテナに発信されると、宿泊客が待つ階にかごを自動で移動させるように構成されている（例えば、特許文献１参照）。
【０００３】
【特許文献１】特開平８−２８２９０５号公報
【発明の開示】
【発明が解決しようとする課題】
【０００４】
しかし、宿泊者が待つあらゆる階にかごを移動させると、例えば会議室の設置階等、宿泊者等による利用が制限されている階にもかごを移動させることとなるため、セキュリティー対策が十分ではなかった。このため、宿泊者等の利便性を配慮しつつ、セキュリティー対策を強化しなければならないという課題があった。
【０００５】
そこで、本発明は、上述のような課題を解決するためになされたもので、利用者の利便性を配慮しつつ、セキュリティー対策を強化することが可能なエレベータ制御装置を得るものである。
【課題を解決するための手段】
【０００６】
本発明のエレベータ制御装置は、乗場に設置された乗場読取装置から、利用者のルームキーに記憶されているキー情報を乗場操作盤の呼びボタン操作前に受けたとき、予め設定されているルームキーの有効性についての情報とキー情報とを比較してキー情報の有効性を判断し、有効であると判断した場合には、上記利用者の待つ階にかごを移動させる登録を行う処理部を備えている。
【発明の効果】
【０００７】
本発明のエレベータ制御装置は、利用者のルームキーに記憶されているキー情報を呼びボタン操作前に受けたとき、キー情報の有効性を判断し、有効であると判断した場合には、利用者の待つ階にかごを移動させる登録を行うので、有効なキー情報が記憶されているルームキーの利用者に対して、かごを移動させる登録を行うサービスを提供することができる。したがって、利用者の利便性を配慮しつつ、セキュリティー対策を強化することができる。
【発明を実施するための最良の形態】
【０００８】
図１は、本発明の実施の形態に係るエレベータシステムの要部を一部ブロックで示す構成図である。ここでは、ホテル内に設置されたエレベータシステムの場合を例にして説明する。
図１において、制御装置本体１は、巻上機２のモータを制御して、かご３およびつり合いおもり４を昇降させるようになっている。かご３およびつり合いおもり４は、巻上機２の駆動シーブに巻き掛けられたロープ５により昇降路内に吊り下げられている。また、かご３内には、行先階ボタン６ａを含むかご操作盤６と、かご内読取装置７とが設けられている。かご内読取装置７は、宿泊客等に利用されるルームキー８の情報を読み取るためのものである。これらかご操作盤６およびかご内読取装置７は、制御ケーブル９を介して制御装置本体１に接続されている。
制御装置本体１には、呼びボタン１１ａを含む複数の乗場操作盤１１が通信線１０を介して接続されている。また、制御装置本体１には、複数の乗場読取装置１２が通信線１０を介して接続されている。各乗場読取装置１２は、ルームキー８の情報を読み取るためのものである。
【０００９】
ここで、エレベータシステムが装備されているホテル内には、図２に示すように、１号機、２号機、および３号機のエレベータが設けられている。１号機および２号機のエレベータは、本館に設けられ、３号機のエレベータは、別館に設けられている。１号機および２号機のエレベータは、本館に設けられている１台の制御装置本体１により群管理され、３号機のエレベータは、別館に設けられている１台の制御装置本体１により管理されている。
なお、図２において、１，２等の数値は、各エレベータの停止階を示している。１号機エレベータでは、１階から１０階までの階、および２０階が乗降可能な階になっている。２号機エレベータでは、１階から５階までの階、および、１０階から２０階までの階が乗降可能な階になっている。３号機エレベータでは、１階から１５階のすべての階が乗降可能な階になっている。
【００１０】
次に、ルームキー８および制御装置本体１について順を追って詳述する。
ルームキー８は、例えばＩＣカード等である。このルームキー８には、部屋番号等のキー情報が記憶されている。「キー情報」は、ホテルの利用時に宿泊者等が乗降できる階を示した情報であり、例えば、宿泊者の客室，宿泊期間等により決められる。
【００１１】
図３は、ルームキー８に記憶されているキー情報の一例を示す説明図である。図３のキー情報が記憶されているルームキー８は、本館の１５階の客室に宿泊する宿泊者に利用される。このルームキー８のキー情報には、例えば、ルームキー８の利用先を示す基本コードｄ１，客室の設置階を示す客室階コードｄ２，受付（フロント）の設置階を示す受付階コードｄ３，乗降が開放されているエリア（レストラン，宴会場等）の階（以下「開放階」という。）を示す開放階コードｄ４，乗降が制限されているエリア（会議室等）の階（以下「制限階」という。）を示す制限階コードｄ５が含まれている。以下、これらのコードｄ１〜ｄ５について詳述する。
【００１２】
基本コードｄ１には、例えば、有効期限（宿泊期間），本館を示す建物番号（「０１」），客室の部屋番号（「１５０１」）等が含まれている。客室階コードｄ２には、例えば、本館を示す建物番号（「０１」），１５階の客室階を示す階数データ（「１５」）が含まれている。受付階コードｄ３には、例えば、本館を示す建物番号，１階の玄関階を示す階数データ（「０１」）が含まれている。開放階コードｄ４には、例えば、建物番号，レストラン等がある最上階等を示す階数データが含まれている。制限階コードｄ５には、例えば、本館を示す建物番号，制限階である５階を示す階数データ（「０５」）が含まれている。
したがって、図３のルームキー８を利用する宿泊者は、ホテルの滞在時、キー情報に含まれている客室階等での乗降に制限されることとなる。
【００１３】
続いて、別館の客室に宿泊する宿泊者に利用されるルームキー８に記憶されるキー情報について説明する。このルームキー８に記憶されているキー情報にも、図４に示すように、「基本コードｄ１」、「客室階コードｄ２」、「受付階コードｄ３」、および「開放階コードｄ４」が含まれている。これにより、宿泊者が乗降可能な階が客室階等に制限されることとなる。
【００１４】
図５は、制御装置本体１の構成を示すブロック図である。図５において、制御装置本体１は、入出力インターフェース等の通信部１０１、記憶部１０２、およびこれらの動作を制御する処理部１０３を有している。記憶部１０２は、例えばメモリである。記憶部１０２には、複数のルームキー８の有効性についての情報（以下「有効性情報」という。）が予め設定されている。「有効性情報」には、例えば、部屋番号，建物番号，有効期限，客室階を示す階数データ，開放階を示す階数データ，制限階を示す階数データ等が含まれている。この有効性情報は、例えば、宿泊者等の利便性，館内の安全性等により決定される。
【００１５】
処理部１０３は、例えばＣＰＵである。この処理部１０３には、受信部１０３ａ、判断部１０３ｂ、登録部１０３ｃ、かご制御部１０３ｄ、および出力部１０３ｅが含まれている。これら各部１０３ａ〜１０３ｅの機能は次のとおりである。すなわち、受信部１０３ａは、ルームキー８のキー情報を受信する。判断部１０３ｂは、キー情報の有効性を判断する。登録部１０３ｃは、かご３を移動させるためのデータ等を登録する。かご制御部１０３ｄは、かご３を移動させる制御を行う。出力部１０３ｅは、乗場操作盤１１等に信号を出力する。
【００１６】
つぎに、制御装置本体１の動作について図６に基づいて説明する。図６は、玄関階から客室階にかご３を移動させる制御装置本体１の動作を示すフローチャートである。
例えば、宿泊者が、チェックイン時、本館１５階の客室のルームキー８をフロントで受け取り、玄関階の乗場操作盤１１の呼びボタン１１ａの操作を行う前に、そのルームキー８を乗場読取装置１２に通す。すると、制御装置本体１の受信部１０３ａは、乗場読取装置１２により読み取られたルームキー８のキー情報を受信する（Ｓ１０１）。
【００１７】
続いて、判断部１０３ｂは、受信部１０３ａにより受信されたキー情報と、記憶部１０２に設定されている有効性情報とを比較し、キー情報が有効かどうかを判断する（Ｓ１０２）。具体的には、判断部１０３ｂは、キー情報に含まれる建物番号の照合、キー情報に含まれる客室階を示す階数データの照合、および、キー情報に含まれるルームキー８の有効期限の確認を行う。
【００１８】
次に、判断部１０３ｂにおける判断において（Ｓ１０２）、例えば、ルームキー８の有効期限が切れているため、キー情報が無効と判断された場合、制御装置本体１における所定の処理が終了する。
他方、判断部１０３ｂにおける判断において（Ｓ１０２）、キー情報に含まれる建物番号および階数データがともに一致し、かつ、ルームキー８の有効期限が期限内であった場合、即ち、キー情報が有効と判断された場合、登録部１０３ｃは、宿泊者の待つ玄関階に、２号機エレベータのかご３を移動させるための制御データを記憶部１０２に登録する（Ｓ１０３）。
【００１９】
そして、戸閉後、かご制御部１０３ｄは、記憶部１０２に登録した制御データに基づいて、２号機エレベータのかご３を玄関階に移動させる制御を行う（Ｓ１０４）。
【００２０】
宿泊者の乗車後、登録部１０３ｃは、判断部１０３ｂにより有効であると判断されたキー情報に含まれる客室階を示す階数データ（例えば「１５」）を記憶部１０２に登録する（Ｓ１０５）。そして、かご制御部１０３ｄは、例えば１５階にかご３を移動させる制御を行う（Ｓ１０６）。これにより、宿泊者は、呼びボタン１１ａの操作、および行先階ボタン６ａの操作を行うことなく、玄関階から客室階に移動することができる。
【００２１】
次に、客室階から玄関階にかご３を移動させる制御装置本体１の動作を説明する。
図７は、客室階から玄関階にかご３を移動させる制御装置本体１の動作を示すフローチャートである。なお、図６と同様の部分については、同一符号を付して重複説明を適宜省略する。
例えば、本館１５階の客室の宿泊者が、本館１５階の乗場前で、乗場操作盤１１の呼びボタン１１ａの操作を行う前に、ルームキー８を乗場読取装置１２に通す。すると、受信部１０３ａは、乗場読取装置１２により読み取られたルームキー８のキー情報を受信する（Ｓ１０１）。続いて、判断部１０３ｂは、キー情報に含まれる建物番号の照合、キー情報に含まれる宿泊階を示す階数データの照合、および、キー情報に含まれるルームキー８の有効期限の確認を行う（Ｓ１０２）。
【００２２】
判断部１０３ｂにおける判断において（Ｓ１０２）、建物番号および階数データがともに一致し、かつ、ルームキー８の有効期限が期限内であった場合、登録部１０３ｃは、宿泊者の待つ１５階にかご３を移動させるための制御データを記憶部１０２に登録する（Ｓ２０１）。そして、かご制御部１０３ｄは、記憶部１０２の制御データに基づいてかご３を１５階に移動させる制御を行う（Ｓ２０２）。
【００２３】
宿泊者の乗車後、登録部１０３ｃは、判断部１０３ｂにより有効であると判断されたキー情報に含まれる玄関階を示す階数データ（例えば１階）を記憶部１０２に登録する（Ｓ２０３）。そして、かご制御部１０３ｄは、例えば１階にかご３を移動させる制御を行う（Ｓ２０４）。これにより、宿泊者は、呼びボタン１１ａの操作、および行先階ボタン６ａの操作を行うことなく、客室階から玄関階に移動することができる。
【００２４】
次に、制限階等にかご３を移動させる制御装置本体１の動作を説明する。
図８は、制限階等にかご３を移動させる制御装置本体１の動作を示すフローチャートである。
例えば、本館１５階の客室の宿泊者が、本館２階の乗場前で、会議室がある本館５階（制限階）等へ行くために、乗場操作盤１１の呼びボタン１１ａの操作を行う。すると、制御装置本体１の受信部１０３ａは、例えば上方向の呼び信号を受信し（Ｓ３０１）、出力部１０３ｅは、その呼びボタン１１ａを点滅させるための信号を乗場操作盤１１に出力する（Ｓ３０２）。これにより、呼びボタン１１ａが点滅し、宿泊者に対し、ルームキー８の読み取りの受付が開始されたことを知らせることが可能となる。
【００２５】
判断部１０３ｂは、所定の時間内に、乗場読取装置１１により読み取られたルームキー８のキー情報が受信部１０３ａに受信されたかどうかを判断する（Ｓ３０３）。つまり、呼びボタン１１ａの操作後、判断部１０３ｂは、ルームキー８が所定の時間内に乗場読取装置１２に通されたかどうかを判断する。
【００２６】
そして、判断部１０３ｂにおける判断において（Ｓ３０３）、キー情報の未受信が確認された場合、出力部１０３ｅは、点滅している呼びボタン１１ａを消灯させるための信号を乗場操作盤１１に出力する（Ｓ３０４）。これにより、呼びボタン１１ａが消灯し、宿泊者に対し、呼びボタン１１ａの操作が無効であることを知らせることが可能となる。
【００２７】
他方、判断部１０３ｂは、キー情報の受信を確認した場合、受信部１０３ａにより受信されたキー情報と、記憶部１０２に設定されている有効性情報とを比較し、キー情報が有効かどうかを判断する（Ｓ３０５）。具体的には、判断部１０３ｂは、キー情報に含まれる建物番号の照合、呼びボタン１１ａの操作により指定された上方向へのかご３の移動が可能かどうかの判断、および、キー情報に含まれるルームキー８の有効期限の確認を行う。
【００２８】
そして、判断部１０３ｂにおける判断において（Ｓ３０５）、例えば、建物番号が不一致等であったため、キー情報が無効と判断された場合、出力部１０３ｅは、点滅している呼びボタン１１ａを消灯させるための信号を乗場操作盤１１に出力し、制御装置本体１は、所定の処理を終了する。
【００２９】
他方、判断部１０３ｂにおける判断において（Ｓ３０５）、建物番号が一致し、かつ、上方向へのかご３の移動が可能と判断されるとともに、ルームキー８の有効期限が期限内であった場合、登録部１０３ｃは、宿泊者の待つ２階に、例えば２号機エレベータのかご３を移動させるための制御データを記憶部１０２に登録する（Ｓ３０６）。
【００３０】
次に、出力部１０３ｅは、点滅している呼びボタン１１ａを点灯させるための信号を乗場操作盤１１に出力する（Ｓ３０７）。これにより、呼びボタン１１ａが点灯し、宿泊者に対し、呼びボタン１１ａの操作が有効であることを知らせることが可能となる。
そして、かご制御部１０３ｄは、記憶部１０２の制御データに基づいてかご３を例えば２階に移動させる制御を行う（Ｓ３０８）。
【００３１】
かご３の到着後、判断部１０３ｂは、所定の時間内に、行先階ボタン６ａの操作により指定された行先階（例えば、会議室がある５階等）を示す階数データが受信部１０３ａに受信されたかどうかを判断する（Ｓ３０９）。つまり、かご３の到着後、判断部１０３ｂは、行先階ボタン６ａの操作が所定の時間内に行われたかどうかを判断する。
【００３２】
そして、判断部１０３ｂは、階数データの未受信を確認した場合、例えば、かご３内の重量を検出するためのセンサーからの情報に基づいて、かご３内に宿泊客が乗車しているかどうかを判断する（Ｓ３１０）。
判断部１０３ｂが宿泊客の未乗車を確認すると、制御装置本体１は、所定の処理を終了する。他方、判断部１０３ｂが宿泊者の乗車を確認すると、登録部１０３ｃは、例えば玄関階を示す階数データを記憶部１０２に登録し（Ｓ３１１）、例えば玄関階等にかご３を移動させる制御を行う（Ｓ３１２）。これにより、宿泊者が所定の時間内に行先階６ａの操作を行わなかった場合も、かご３内の宿泊者を玄関階等に誘導することが可能となる。
【００３３】
一方、判断部１０３ｂにおける行先階データの受信の判断において（Ｓ３０９）、階数データの受信が確認された場合、判断部１０３ｂは、受信部１０３ａにより受信された階数データが制限階および開放階のいずれを示しているかを判断する（Ｓ３１３）。そして、階数データが、会議室がある５階等の制限階を示していると判断された場合、出力部１０３ｅは、行先階ボタン６ａの操作により指定された行先階ボタン６ａを点滅させるための信号をかご操作盤６に出力する（Ｓ３１４）。これにより、行先階ボタン６ａが点滅し、宿泊者に対し、ルームキー８の読み取りの受付が開始されたことを知らせることが可能となる。
【００３４】
次に、判断部１０３ｂは、所定の時間内に、かご内読取装置７により読み取られたルームキー８のキー情報が受信部１０３ａに受信されたかどうかを判断する（Ｓ３１５）。つまり、かご３の到着後、判断部１０３ｂは、ルームキー８が所定の時間内にかご内読取装置７に通されたかどうかを判断する。
【００３５】
判断部１０３ｂにおける判断において（Ｓ３１５）、キー情報の未受信が確認された場合に、例えば、かご３内に宿泊客が乗車していたときは、登録部１０３ｃは、例えば玄関階にかご３を移動させる制御を行う（Ｓ３１０〜Ｓ３１２）。
【００３６】
他方、判断部１０３ｂによりキー情報の受信が確認された場合、判断部１０３ｂは、受信部１０３ａにより受信されたキー情報と、記憶部１０２に設定されている有効性情報とを比較し、キー情報が有効かどうかを判断する（Ｓ３１６）。具体的には、判断部１０３ｂは、キー情報に含まれる建物番号の照合、キー情報に含まれる階数データの照合、および、キー情報に含まれるルームキー８の有効期限の確認を行う。
【００３７】
そして、判断部１０３ｂにおいてキー情報の有効性が判断された場合、登録部１０３ｃは、行先階ボタン６ａの操作により指定された行先階である制限階を示す階数データを記憶部１０２に登録する（Ｓ３１７）。
次に、出力部１０３ｅは、点滅している行先階ボタン６ａを点灯させるための信号をかご操作盤６に出力する（Ｓ３１８）。これにより、行先階ボタン灯６ａが点灯し、宿泊者に対し、行先階ボタン６ａの操作が有効であることを知らせることが可能となる。
そして、かご制御部１０３ｄは、例えば５階等の制限階にかご３を移動させる制御を行う（Ｓ３１８）。これにより、宿泊者は、例えば会議室がある５階等の制限階に移動することができる。
【００３８】
一方、判断部１０３ｂにおける判断において（Ｓ３１３）、階数データが、例えばレストランがある最上階等の開放階を示していると判断された場合、開放階を示す階数データが記憶部１０２に登録された後、行先階ボタン６ａを点灯させるための信号がかご操作盤６に出力され、例えば最上階等の開放階にかご３が移動することとなる（Ｓ３１７〜Ｓ３１９）。これにより、宿泊者は、ルームキー８をかご内読取装置７に通すことなく、例えばレストランがある最上階等の開放階に移動することができる。
以上で、任意の階から制限階等にかご３を移動させる制御装置本体１の動作説明を終了する。
【００３９】
このように、実施の形態によると、制御装置本体１の登録部１０３ｃは、呼びボタン１１ａの操作前に受信されたルームキー８のキー情報が有効であると判断されたとき、そのルームキー８を持つ利用者が待っている玄関階等にかご３を移動させる登録を行う。このため、有効なキー情報が記憶されているルームキー８を持つ利用者に対して、呼びボタン１１ａの操作を行わせることなく、その利用者が待つ玄関階等にかご３を自動で移動させるサービスを提供することができる。したがって、利用者の利便性を配慮しつつ、セキュリティー対策を強化することができる。
【００４０】
しかも、かご３の到着後、登録部１０３ｃは、ルームキー８のキー情報が有効であると判断されたとき、そのキー情報に含まれている客室階等にかご３を移動させる登録を行う。このため、利用者に対し、行先階ボタン６ａの操作を行わせることなく、客室階等の行先階にかご３を自動で移動させるサービスを提供することができる。
【００４１】
また、かご３を自動で移動させるサービスが行われる行先階は、客室階や玄関階であるので、利用者は、行先階ボタン６ａの操作を行うことなく、客室階や玄関階に移動することができる。
【００４２】
制御装置本体１の登録部１０３ｃは、呼びボタン１１ａの操作後に受信されたルームキー８のキー情報が有効であると判断されると、そのルームキー８を持つ利用者が待っている任意の階（例えば２階等）にかご３を移動させる登録を行う。このため、例えば宿泊者等は、ルームキー８に記憶されているキー情報が有効でなければ、呼びボタン１１ａにより指定された運転方向にかご３を移動させることができないこととなる。したがって、呼びボタン１１ａの操作後、キー情報が有効な場合にのみ、かご３が任意の階に到着することとなる。以上から、かご３の運転効率が向上することとなる。
【００４３】
しかも、かご３の到着後、行先階ボタン６ａにより指定された行先階が制限階（会議室がある本館の５階等）である場合、登録部１０３ｃは、行先階ボタン６ａの操作後に受信されたキー情報が有効であると判断されたときに、制限階にかご３を移動させる登録を行う。このため、制限階で降車する宿泊者等を制限することができる。
他方、行先階ボタン６ａにより指定された行先階が開放階（レストランがある本館の最上階等）である場合、宿泊者等は、行先階ボタン６ａの操作後にルームキー８をかご内読取装置７に通すことなく、登録部１０３ｃは、開放階にかご３を移動させる登録を行う。このため、開放階へ移動する宿泊者等は、かご３内でキー情報の有効性についての判断結果を待つことなく、開放階へ移動することが可能となる。これにより、宿泊者等の利便性が高まる。
【００４４】
なお、実施の形態において、宿泊者がルームキー８を利用する場合について説明したが、例えば、従業員等がマスタールームキーを利用してもよい。マスタールームキーは、全館の客室等に共通して利用されるキーである。
【００４５】
また、ルームキー８等のキー情報に含まれる開放階や制限階は、図３，図４の場合に限られず自由に設定してよい。さらに、利用場所はホテルに限られず、例えばマンション等であってもよい。
【図面の簡単な説明】
【００４６】
【図１】本発明の実施の形態に係るエレベータシステムの要部を示すブロック図である。
【図２】図１のエレベータシステムが装備されているホテル内のエレベータの設置例を示す説明図である。
【図３】図２の本館の客室に用いられるルームキーのキー情報の一例を示す説明図である。
【図４】図２の別館の客室に用いられるルームキーのキー情報の一例を示す説明図である。
【図５】図１の制御装置本体の構成を示すブロック図である。
【図６】図１の制御装置本体により玄関階から客室階にかごが移動させる動作を示すフローチャートである。
【図７】図１の制御装置本体により客室階から玄関階にかごを移動させる動作を示すフローチャートである。
【図８】図１の制御装置本体により制限階等にかごを移動させる動作を示すフローチャートである。
【符号の説明】
【００４７】
１  制御装置本体、３  かご、６  かご操作盤、７  かご内読取装置、８  ルームキー、１１  乗場操作盤、１２  乗場読取装置、１０２  記憶部、１０３  処理部、６ａ  行先階ボタン、１１ａ  呼びボタン、１０３ａ  受信部、１０３ｂ  判断部、１０３ｃ  登録部、１０３ｄ  かご制御部、１０３ｅ  出力部。
【図１】
2005170541.tif 000003
【図２】
2005170541.tif 000004
【図３】
2005170541.tif 000005
【図４】
2005170541.tif 000006
【図５】
2005170541.tif 000007
【図６】
2005170541.tif 000008
【図７】
2005170541.tif 000009
【図８】
2005170541.tif 000010